(57)【要約】  本開示は、ピクチャ処理方法および装置に関し、端末技術分野に属する。前記方法は、記憶空間をクリーンアップする過程に、ピクチャディレクトリにおけるすべてのピクチャをスキャンすることと、各ピクチャの少なくとも撮影時間を含む属性情報および予め抽出されたピクチャ特徴に基づいて、少なくとも一つの類似ピクチャ群を生成することと、撮影時間の順序に従って、類似ピクチャ群を単位として、各類似ピクチャ群におけるピクチャを表示することと、検出された操作に応じて各類似ピクチャ群におけるピクチャを処理することとを含む。【選択図】図１
2017531330.tif 000002
【特許請求の範囲】
【請求項１】
ピクチャ処理方法であって、
記憶空間をクリーンアップする過程に、ピクチャディレクトリにおけるすべてのピクチャをスキャンすることと、
各ピクチャの少なくとも撮影時間を含む属性情報および予め抽出されたピクチャ特徴に基づいて、少なくとも一つの類似ピクチャ群を生成することと、
撮影時間の順序に従って、類似ピクチャ群を単位として、各類似ピクチャ群におけるピクチャを表示することと
検出された操作に応じて各類似ピクチャ群におけるピクチャを処理することとを含む、前記ピクチャ処理方法。
【請求項２】
前記ピクチャ特徴は、全体的特徴と局所的特徴を含み、
前記の各ピクチャの属性情報および予め抽出されたピクチャ特徴に基づいて、少なくとも一つの類似ピクチャ群を生成することは、
ピクチャの属性情報に基づいて、ピクチャディレクトリにおけるピクチャを少なくとも２枚のピクチャが含まれる異なるピクチャ群に区分することと、
いずれかのピクチャ群に対して、いずれか２枚のピクチャの全体的特徴の類似度および局所的特徴の類似度を計算することと、
前記全体的特徴の類似度が第一の閾値より大きく、かつ局所的特徴の類似度が第二の閾値より大きい場合、前記全体的特徴の類似度と前記局所的特徴の類似度に対して加重計算を行い、加重計算結果を取得することと、
前記加重計算結果が第三の閾値より大きい場合、前記２枚のピクチャを類似ピクチャとすることと、
前記ピクチャ群における同じピクチャと互いに類似ピクチャとなるすべてのピクチャを類似ピクチャ群に構成することとを含むことを特徴とする
請求項１に記載のピクチャ処理方法。
【請求項３】
前記の検出された操作に応じて各類似ピクチャ群におけるピクチャを処理することは、
各類似ピクチャ群の各ピクチャに保存オプションと削除オプションを表示することと、
いずれかのピクチャの削除オプションが選択されたことを検出した場合、前記ピクチャを削除することと、
前記ピクチャの保存オプションが選択されたことを検出した場合、前記ピクチャを保存することとを含むことを特徴とする
請求項１に記載のピクチャ処理方法。
【請求項４】
前記ピクチャを削除する後、
クラウド記憶空間に前記ピクチャを削除するようにサーバーに指示するための削除指令をサーバーへ送信することをさらに含むことを特徴とする
請求項３に記載のピクチャ処理方法。
【請求項５】
記憶空間クリーンアップページにピクチャクリーンアップオプションを表示することと、
前記ピクチャクリーンアップオプションが選択されたことを検出した場合、ピクチャディレクトリにおけるすべてのピクチャに対するスキャンを実行することとをさらに含むことを特徴とする
請求項３に記載のピクチャ処理方法。
【請求項６】
ピクチャ処理装置であって、
記憶空間をクリーンアップする過程に、ピクチャディレクトリにおけるすべてのピクチャをスキャンするように構成されるスキャンモジュールと、
各ピクチャの少なくとも撮影時間を含む属性情報および予め抽出されたピクチャ特徴に基づいて、少なくとも一つの類似ピクチャ群を生成するように構成される類似ピクチャ群生成モジュールと、
撮影時間の順序に従って類似ピクチャ群を単位として各類似ピクチャ群におけるピクチャを表示するように構成される第一の表示モジュールと、
検出された操作に応じて各類似ピクチャ群におけるピクチャを処理するように構成される処理モジュールとを含む、前記ピクチャ処理装置。
【請求項７】
前記ピクチャ特徴は、全体的特徴と局所的特徴を含み、
前記類似ピクチャ群生成モジュールは、ピクチャの属性情報に基づいて、ピクチャディレクトリにおけるピクチャを少なくとも２枚のピクチャが含まれる異なるピクチャ群に区分し、いずれかのピクチャ群に対して、いずれか２枚のピクチャの全体的特徴の類似度および局所的特徴の類似度を計算し、前記全体的特徴の類似度が第一の閾値より大きく、かつ前記局所的特徴の類似度が第二の閾値より大きい場合、前記全体的特徴の類似度と前記局所的特徴の類似度に対して加重計算を行い、加重計算結果を取得し、前記加重計算結果が第三の閾値より大きい場合、前記２枚のピクチャを類似ピクチャとし、前記ピクチャ群における同じピクチャと互いに類似ピクチャとなるすべてのピクチャを類似ピクチャ群に構成するように構成されることを特徴とする
請求項６に記載のピクチャ処理装置。
【請求項８】
前記処理装置は、
各類似ピクチャ群の各ピクチャに保存オプションと削除オプションを表示し、いずれかのピクチャにおける削除オプションが選択されたことを検出した場合、前記ピクチャを削除し、前記ピクチャにおける保存オプションが選択されたことを検出した場合、前記ピクチャを保存するように構成されることを特徴とする
請求項６に記載のピクチャ処理装置。
【請求項９】
クラウド記憶空間にピクチャを削除するように前記サーバーに指示するための削除指令をサーバーへ送信するように構成される送信モジュールをさらに含むことを特徴とする
請求項８に記載のピクチャ処理装置。
【請求項１０】
記憶空間クリーンアップページにピクチャクリーンアップオプションを表示するように構成される第二の表示モジュールをさらに含み、
前記スキャンモジュールは、前記ピクチャクリーンアップオプションが選択されたことを検出した場合、ピクチャディレクトリにおけるすべてのピクチャに対するスキャンを実行するように構成されることを特徴とする
請求項６に記載のピクチャ処理装置。
【請求項１１】
ピクチャ処理装置であって、
プロセッサと、
プロセッサ実行可能指令を記憶するように構成されるメモリとを含み、
ここで、前記プロセッサが、
記憶空間をクリーンアップする過程に、ピクチャディレクトリにおけるすべてのピクチャをスキャンし、
各ピクチャの少なくとも撮影時間を含む属性情報および予め抽出されたピクチャ特徴に基づいて、少なくとも一つの類似ピクチャ群を生成し、
撮影時間の順序に従って、類似ピクチャ群を単位として、各類似ピクチャ群におけるピクチャを表示し、
検出された操作に応じて、各類似ピクチャ群におけるピクチャを処理するように構成される、前記ピクチャ処理装置。
【発明の詳細な説明】
【技術分野】
【０００１】
本願は、出願番号２０１５１０４６５２１１．７、出願日２０１５年７月３１日の中国特許出願に基づいて提案され、当該中国特許出願の優先権を主張し、前記中国特許出願のすべての内容が参照として本出願に組み込まれる。
【０００２】
本開示は、情報技術分野に関し、特にピクチャ処理方法および装置に関する。
【背景技術】
【０００３】
現代の生活の中で、一枚の満足なピクチャを取得するために、ユーザーは、一般的に移動端末を使用して同じ内容を複数回撮影し、同じ内容が含まれる複数枚のピクチャを取得する。これらのピクチャが一定のサイズを有するので、これらのピクチャをすべて端末に記憶すると、端末のメモリを占有して端末の性能に影響を与えるだけでなく、ユーザーの閲覧に対して極大な不便をもたらし、そのため端末に記憶されたピクチャを処理する必要がある。
【０００４】
現在、関連技術によりピクチャを処理する場合、アルバムアプリを開き、ユーザーの目でピクチャディレクトリから類似のピクチャを識別し、さらにユーザーの操作を検出してこれらのピクチャをクリーンアップする必要がある。ユーザーがピクチャにおける削除オプションを選択したことを検出した場合、当該ピクチャを削除し、ユーザーがピクチャにおける保存オプションを選択したことを検出した場合、当該ピクチャを保存する。
【発明の概要】
【発明が解決しようとする課題】
【０００５】
本開示は、ピクチャ処理方法および装置を提供する。
【課題を解決するための手段】
【０００６】
本開示の実施例の第１の態様によるピクチャ処理方法は、
記憶空間をクリーンアップする過程に、ピクチャディレクトリにおけるすべてのピクチャをスキャンすることと、
各ピクチャの少なくとも撮影時間を含む属性情報および予め抽出されたピクチャ特徴に基づいて、少なくとも一つの類似ピクチャ群を生成することと、
撮影時間の順序に従って、類似ピクチャ群を単位として、各類似ピクチャ群におけるピクチャを表示することと、
検出された操作に応じて各類似ピクチャ群におけるピクチャを処理することとを含む。
【０００７】
選択的に、前記ピクチャ特徴は、全体的特徴と局所的特徴を含み、
前記の各ピクチャの属性情報および予め抽出されたピクチャ特徴に基づいて、少なくとも一つの類似ピクチャ群を生成することは、
ピクチャの属性情報に基づいて、ピクチャディレクトリにおけるピクチャを少なくとも２枚のピクチャが含まれる異なるピクチャ群に区分することと、
いずれかのピクチャ群に対して、いずれか２枚のピクチャの全体的特徴の類似度および局所的特徴の類似度を計算することと、
前記全体的特徴の類似度が第一の閾値より大きく、かつ前記局所的特徴の類似度が第二の閾値より大きい場合、前記全体的特徴の類似度と前記局所的特徴の類似度に対して加重計算を行い、加重計算結果を取得することと、
前記加重計算結果が第三の閾値より大きい場合、前記２枚のピクチャを類似ピクチャとすることと、
前記ピクチャ群における同じピクチャと互いに類似ピクチャとなるすべてのピクチャを一つの類似ピクチャ群に構成することとを含む。
【０００８】
選択的に、前記の検出された操作に応じて各類似ピクチャ群におけるピクチャを処理することは、
各類似ピクチャ群における各ピクチャに保存オプションと削除オプションを表示することと、
いずれかのピクチャの削除オプションが選択されたことを検出した場合、前記ピクチャを削除することと、
前記ピクチャの保存オプションが選択されたことを検出した場合、前記ピクチャを保存することとを含む。
【０００９】
選択的に、前記の前記ピクチャを削除する後、前記方法は、
クラウド記憶空間に前記ピクチャを削除するように前記サーバーに指示するための削除指令をサーバーへ送信することをさらに含む。
【００１０】
選択的に、前記方法は、
記憶空間クリーンアップページにピクチャクリーンアップオプションを表示することと、
前記ピクチャクリーンアップオプションが選択されたことを検出した場合、ピクチャディレクトリにおけるすべてのピクチャに対するスキャンを実行することとをさらに含む。
【００１１】
本開示の実施例の第２の態様によるピクチャ処理装置は、
記憶空間をクリーンアップする過程に、ピクチャディレクトリにおけるすべてのピクチャをスキャンするように構成されるスキャンモジュールと、
各ピクチャの少なくとも撮影時間を含む属性情報および予め抽出されたピクチャ特徴に基づいて、少なくとも一つの類似ピクチャ群を生成するように構成される類似ピクチャ群生成モジュールと、
撮影時間の順序に従って類似ピクチャ群を単位として各類似ピクチャ群におけるピクチャを表示するように構成される第一の表示モジュールと、
検出された操作に応じて各類似ピクチャ群におけるピクチャを処理するように構成される処理モジュールとを含む。
【００１２】
選択的に、前記ピクチャ特徴は、全体的特徴と局所的特徴を含み、
前記類似ピクチャ群生成モジュールは、ピクチャの属性情報に基づいて、ピクチャディレクトリにおけるピクチャを異なるピクチャ群に区分し、各ピクチャ群に少なくとも２枚のピクチャが含まれ、いずれかのピクチャ群に対して、いずれか２枚のピクチャの全体的特徴の類似度および局所的特徴の類似度を計算し、前記全体的特徴の類似度が第一の閾値より大きく、かつ前記局所的特徴の類似度が第二の閾値より大きい場合、前記全体的特徴の類似度と前記局所的特徴の類似度に対して加重計算を行い、加重計算結果を取得し、前記加重計算結果が第三の閾値より大きい場合、前記２枚のピクチャを類似ピクチャとし、前記ピクチャ群における同じピクチャと互いに類似ピクチャとなるすべてのピクチャを類似ピクチャ群に構成するように構成される。
【００１３】
選択的に、前記処理装置は、各類似ピクチャ群の各ピクチャに保存オプションと削除オプションを表示し、いずれかのピクチャにおける削除オプションが選択されたことを検出した場合、前記ピクチャを削除し、前記ピクチャにおける保存オプションが選択されたことを検出した場合、前記ピクチャを保存するように構成される。
【００１４】
選択的に、前記装置は、
クラウド記憶空間に前記ピクチャを削除するように前記サーバーに指示するための削除指令をサーバーへ送信する送信モジュールをさらに含む。
【００１５】
選択的に、前記装置は、
記憶空間クリーンアップページにピクチャクリーンアップオプションを表示するように構成される第二の表示モジュールと、
前記ピクチャクリーンアップオプションが選択されたことを検出した場合、ピクチャディレクトリにおけるすべてのピクチャに対するスキャンを実行するように構成されるスキャンモジュールとをさらに含む。
【００１６】
本開示の実施例の第３の態様によるピクチャ処理装置は、
プロセッサと、
プロセッサ実行可能指令を記憶するように構成されるメモリとを含み、
ここで、前記プロセッサが、
記憶空間をクリーンアップする過程に、ピクチャディレクトリにおけるすべてのピクチャをスキャンし、
各ピクチャの少なくとも撮影時間を含む属性情報および予め抽出されたピクチャ特徴に基づいて、少なくとも一つの類似ピクチャ群を生成し、
撮影時間の順序に従って、類似ピクチャ群を単位として、各類似ピクチャ群におけるピクチャを表示し、
検出された操作に応じて各類似ピクチャ群におけるピクチャを処理するように構成される。
【００１７】
本開示の実施例による技術的解決手段は、以下の有益な効果を含むことができる。
【００１８】
ピクチャの撮影時間などの属性情報およびピクチャ特徴に基づいて、ピクチャを一つの類似ピクチャ群に区分し、さらに撮影時間に従って類似ピクチャ群を単位として類似ピクチャ群におけるピクチャを表示し、ユーザーが類似ピクチャ群におけるピクチャを処理することに便利を与え、これにより、処理過程がより便利になり、より短い時間がかかる。
【００１９】
以上の一般的な説明と後の詳しい説明は、例示的なものと解釈的なものだけであるが、本開示を限定できないと理解すべきである。
【図面の簡単な説明】
【００２０】
【図１】一つの例示的な実施例によるピクチャ処理方法のフローチャートである。
【図２】一つの例示的な実施例によるピクチャ処理方法のフローチャートである。
【図３】一つの例示的な実施例による記憶空間処理ページを示す図である。
【図４】一つの例示的な実施例による類似ピクチャ群を示す図である。
【図５Ａ】一つの例示的な実施例による類似ピクチャ群を示す図である。
【図５Ｂ】一つの例示的な実施例による類似ピクチャ群を示す図である。
【図６】一つの例示的な実施例による類似ピクチャ処理装置の構造図である。
【図７】一つの例示的な実施例によるピクチャ処理装置のブロック図である。
【発明を実施するための形態】
【００２１】
ここの図面は、明細書に取り込まれて本明細書の一部を構成し、本発明に合う実施例を示し、明細書とともに本発明の原理を解釈することに用いられる。
【００２２】
ここで、例示的な実施例を詳しく説明し、その例が図面に示される。以下の説明が図面に関する場合、他に示されない限り、異なる図面の同じ数字は、同じまたは類似の要素を表す。以下の例示的な実施例に説明された実施形態は、本開示と一致するすべての実施形態を代表しない。逆に、それらは、添付した請求項に詳しく説明される、本開示のいくつかの方面と一致する装置および方法の例だけである。
【００２３】
図１は一つの例示的な実施例によるピクチャ処理方法のフローチャートである。図１に示すように、ピクチャ処理方法は、端末に用いられ、以下のステップを含む。
【００２４】
ステップ１０１において、記憶空間をクリーンアップする過程に、ピクチャディレクトリにおけるすべてのピクチャをスキャンする。
【００２５】
ステップ１０２において、各ピクチャの少なくとも撮影時間を含む属性情報および予め抽出されたピクチャ特徴に基づいて、少なくとも一つの類似ピクチャ群を生成する。
【００２６】
ステップ１０３において、撮影時間の順序に従って、類似ピクチャ群を単位として、各類似ピクチャ群におけるピクチャを表示する。
【００２７】
ステップ１０４において、検出された操作に応じて各類似ピクチャ群におけるピクチャを処理する。
【００２８】
本開示の実施例による方法について、ピクチャの撮影時間などの属性情報およびピクチャ特徴に基づいて、ピクチャを一つの類似ピクチャ群に区分し、さらに撮影時間に従って類似ピクチャ群を単位として類似ピクチャ群におけるピクチャを表示し、ユーザーが類似ピクチャ群のピクチャを処理することに便利を与え、これにより、処理過程がより便利になり、より短い時間がかかる。
【００２９】
本開示の別の実施例において、前記ピクチャ特徴は、全体的特徴と局所的特徴を含み、
前記の各ピクチャの属性情報および予め抽出されたピクチャ特徴に基づいて、少なくとも一つの類似ピクチャ群を生成することは、
ピクチャの属性情報に基づいて、ピクチャディレクトリにおけるピクチャを、少なくとも２枚のピクチャが含まれる異なるピクチャ群に区分することと、
いずれかのピクチャ群に対して、いずれか２枚のピクチャの全体的特徴の類似度および局所的特徴の類似度を計算することと、
全体的特徴の類似度が第一の閾値より大きく、かつ局所的特徴の類似度が第二の閾値より大きい場合、全体的特徴の類似度と局所的特徴の類似度に対して加重計算を行い、加重計算結果を取得することと、
加重計算結果が第三の閾値より大きい場合、２枚のピクチャを類似ピクチャとすることと、
ピクチャ群における同じピクチャと互いに類似ピクチャとなるすべてのピクチャを類似ピクチャ群に構成することとを含む。
【００３０】
本開示の別の実施例において、検出された操作に応じて各類似ピクチャ群におけるピクチャを処理することは、
各類似ピクチャ群の各ピクチャに保存オプションと削除オプションを表示することと、
いずれかのピクチャにおける削除オプションが選択されたことを検出した場合、ピクチャを削除することと、
ピクチャにおける保存オプションが選択されたことを検出した場合、ピクチャを保存することとを含む。
【００３１】
本開示の別の実施例において、ピクチャを削除した後、当該方法は、
クラウド記憶空間にピクチャを削除するようにサーバーに指示するための削除コマンドをサーバーへ送信することをさらに含む。
【００３２】
本開示の別の実施例において、当該方法は、
記憶空間クリーンアップページにピクチャクリーンアップオプションを表示することと、
ピクチャクリーンアップオプションが選択されたことを検出した場合、ピクチャディレクトリにおけるすべてのピクチャに対するスキャンを実行することとをさらに含む。
【００３３】
前記のすべての選択的な技術的解決手段について、いずれかの組み合わせを採用して本開示の選択的な実施例を形成することができるので、ここで説明は、省略する。
【００３４】
図２は一つの例示的な実施例によるピクチャ処理方法のフローチャートである。図２に示すように、ピクチャ処理方法は、端末に用いられ、以下のステップを含む。
【００３５】
ステップ２０１において、記憶空間をクリーンアップする過程に、端末は、記憶空間クリーンアップページにピクチャクリーンアップオプションを表示する。
【００３６】
ここで、ピクチャの形態は、多種であり、カメラで撮影された写真であってよく、スクリーンショットツールでスクリーンショットされたピクチャなどであってもよい。端末は、スマートフォン、タブレットパソコン、デスクトップパソコンなどであってよく、本実施例において端末の製品タイプに対して具体的に限定しなく、当該端末にカメラが取り付けられることができ、取り付けられたカメラに基づいて、端末は、様々な写真を撮影できる。端末にもスクリーンショットするためのスクリーンショットアプリを取り付けられることができ、取り付けられたスクリーンショットアプリに基づいて、端末は、スクリーンのある領域または領域全体をスクリーンショットしてピクチャとして保存することができる。
【００３７】
一般的に、端末は、運転する過程に、いくつかのゴミデータを生成し、これらのゴミ情報データが端末の記憶空間を占有する。ただし、端末の記憶空間が制限されるので、これらのゴミデータを適時に処理しないと、端末の正常な運転に影響を与える。端末が順調に運転することを確保するように、端末の運転過程に生成されたゴミデータをクリーンアップするために、一般的に端末にソフトウェアが取り付けられる。
【００３８】
クリーンアップソフトウェアを実行して記憶空間をクリーンアップする過程において、図３に示すように、端末は、端末における異なる種類のゴミデータをクリーンアップするように、記憶空間クリーンアップページにピクチャクリーンアップオプション、プラグインクリーンアップオプション、トラフィックモニタリングオプションなどが含まれる複数のオプションを表示することができる。
【００３９】
ステップ２０２において、端末は、ピクチャクリーンアップオプションが選択されたかを検出し、そうであれば、ステップ２０３を実行する。
【００４０】
端末がピクチャクリーンアップオプションが選択されたかを検出する方式について、内蔵された圧力センサーによって端末スクリーン上の圧力が変化するかを検出し、端末スクリーンのある位置の圧力が変化することを検出した場合、端末が当該位置の位置座標を取得し、当該位置の位置座標をピクチャクリーンアップオプションの存在する位置領域と比較し、当該位置座標がピクチャクリーンアップオプションの存在する位置領域内に位置する場合、ピクチャクリーンアップオプションが選択されたと確定することを、含むが、これに限られない。
【００４１】
前記の端末スクリーンの圧力変化を検出することは、端末がピクチャクリーンアップオプションが選択されたかを検出する一つの方式だけである。実際の応用において、端末は、他の方式により、ピクチャクリーンアップオプションが選択されたかを検出することもでき、本実施例においてこれに対して具体的に限定しない。
【００４２】
ステップ２０３において、端末は、ピクチャディレクトリにおけるすべてのピクチャをスキャンする。
【００４３】
本実施例において、ピクチャディレクトリは、端末におけるピクチャを記憶するための特定ディレクトリであり、ピクチャディレクトリにおけるピクチャは、カメラで撮影された写真であってよく、スクリーンショットツールでスクリーンショットされたピクチャであってもよく、ネットワークに接続してダウンロードされたピクチャまたはブルートゥース（登録商標）、赤外線などの機能をオーンにして他の端末から受信されたピクチャであってもよい。本実施例において、ピクチャディレクトリにおけるピクチャフォームに対して具体的に限定しない。
【００４４】
端末は、ピクチャディレクトリにおけるピクチャをスキャンする場合に、スキャン順序を予め設定し、スキャン順序に従ってピクチャディレクトリにおけるピクチャを一つずつスキャンすることができる。予め設定されたスキャン順序は、ピクチャの撮影時間、ピクチャのサイズなどであってよい。スキャン順序が撮影時間であることを例として、端末は、ピクチャディレクトリにおけるピクチャをスキャンする場合に、撮影時間の正順序に従ってスキャンし、例えば、端末は、まず撮影時間が最前のピクチャをスキャンし、次に撮影時間が最後のピクチャをスキャンすることができ、撮影時間の逆順序に従ってスキャンし、例えば、端末は、まず撮影時間が最後のピクチャをスキャンし、次に撮影時間が最前のピクチャをスキャンすることもできる。
【００４５】
ステップ２０４において、端末は、各ピクチャの属性情報および予め抽出されたピクチャ特徴に基づいて、少なくとも一つの類似ピクチャ群を生成する。
【００４６】
前記ステップ２０３においてピクチャディレクトリにおけるピクチャをスキャンすることにより、端末は、撮影時間、撮影アドレス、ピクチャサイズ、輝度、コントラスト、グレーなどのような各ピクチャの属性情報を取得できる。同時に、端末に内蔵された特徴抽出モジュールは、ピクチャディレクトリにおける各ピクチャのピクチャ特徴を抽出し、さらに抽出されたピクチャ特徴に基づいて一つの特徴ファイルを構成することができる。その中、ピクチャ特徴は、全体的特徴と局所的特徴などを含む。局所的特徴は、主にピクチャ内容の細部変化を説明し、ＳＩＦＴ（Ｓｃａｌｅ−ｉｎｖａｒｉａｎｔ  ｆｅａｔｕｒｅ  ｔｒａｎｓｆｏｒｍ：スケール不変特徴量変換）、ＳＵＲＦ（Ｓｐｅｅｄ  Ｕｐ  Ｒｏｂｕｓｔ  Ｆｅａｔｕｒｅｓ：スピードアップロバスト特徴）などを含み、全体的特徴は、主にピクチャ内容の全体属性を説明し、色の分布ヒストグラムおよびＬＢＰ（Ｌｏｃａｌ  Ｂｉｎａｒｙ  Ｐａｔｔｅｒｎｓ：ローカルバイナリーパターン）テクスチャヒストグラムなどを含む。
【００４７】
端末は、各ピクチャの属性情報および予め抽出されたピクチャ特徴に基づいて、少なくとも一つの類似ピクチャ群を生成する場合、以下のステップ(１)〜(３)を採用することができる。
【００４８】
(１)、端末は、ピクチャの属性情報に基づいて、ピクチャディレクトリにおけるピクチャを少なくとも２枚のピクチャが含まれる異なるピクチャ群に区分する。
【００４９】
一般的に、端末は、同じ内容を連写し、または、ある期間に同じ内容を複数回撮影し、または、ある期間にスクリーンショットツールでスクリーンにおける同じ領域を複数回スクリーンショットし、いずれも類似ピクチャを生成し、これらの類似ピクチャが一般的に同じ属性情報を有する。属性情報の差異に基づいて、端末は、ピクチャディレクトリにおけるピクチャを異なるピクチャ群に区分でき、かつ各ピクチャ群に少なくとも２枚のピクチャが含まれる。
【００５０】
属性情報に含まれる異なる情報のため、端末は、ピクチャディレクトリにおけるピクチャを異なるピクチャ群に区分する場合、以下のいくつかの方式を採用できる。
【００５１】
本開示の一つの実施例において、端末は、撮影時間に基づいて、撮影時間が同じ時間範囲にあるピクチャを同じピクチャ群に区分することができる。例えば、ピクチャＡの撮影時間が２０１５／５／１  １０：００：００であり、ピクチャＢの撮影時間が２０１５／５／１  １０：００：２０であり、ピクチャＣの撮影時間が２０１５／５／１  １０：００：５４であり、ピクチャＤの撮影時間が２０１５／５／１０  １２：２０：１０であり、ピクチャＥの撮影時間が２０１５／５／１０  １２：２０：５６である場合、ピクチャＡ、ピクチャＢおよびピクチャＣを一つのピクチャ群に区分し、ピクチャＤとピクチャＥを一つのピクチャ群に区分することができる。
【００５２】
本開示の別の実施例において、端末は、撮影アドレスに基づいて、同じ撮影アドレスのピクチャを同じピクチャ群に区分するこができる。例えば、ピクチャＡの撮影アドレスが天安門であり、ピクチャＢの撮影アドレスが故宮であり、ピクチャＣの撮影アドレスが故宮であり、ピクチャＤの撮影アドレスが鳥の巣であり、ピクチャＥが撮影アドレスが鳥の巣であり、ピクチャＦの撮影アドレスが故宮である場合、ピクチャＢ、ピクチャＣとピクチャＦを一つのピクチャ群に区分し、ピクチャＤとピクチャＥを一つのピクチャ群に区分することができる。
【００５３】
実際の適用において、各ピクチャの撮影時間および撮影アドレスに従ってピクチャディレクトリにおけるピクチャを異なるピクチャ群に区分する以外、画素値、輝度、コントラスト、グレーなどに従ってピクチャを異なるピクチャ群に区分することができる。当然、前記条件は、任意に組み合わせられることができ、即ち、前記少なくとも二つの条件に従ってピクチャディレクトリにおけるピクチャを区分することができる。本発明の実施例においてその具体的な組み合わせを詳しく説明しない。
【００５４】
(２)、いずれかのピクチャ群に対して、端末は、いずれか２枚のピクチャの全体的特徴の類似度および局所的特徴の類似度を計算する。
【００５５】
一般的に、各ピクチャの全体的特徴は、異なる位置のキーポイントの特徴値で構成され、いずれか２枚のピクチャの全体的特徴の類似度を計算する場合、２枚のピクチャの同じ位置の特徴値のユークリッド距離を計算できる。すべての位置の特徴点値を計算した場合、端末は、ユークリッド距離が予め設定された値より小さい特徴値の個数を統計し、さらに計算に参与するすべての特徴値に占められる予め設定された値より小さい特徴値の個数の割合を計算する。当該割合は、全体的特徴の類似度である。
【００５６】
実際の計算において、２枚のピクチャの全体的特徴のユークリッド距離を計算する以外、２枚のピクチャの全体的特徴のコサイン距離を計算でき、当然、他の方法を使用することもでき、ここで説明を省略する。
【００５７】
いずれか２枚の局所的特徴類似度に対して、前記の全体的特徴の類似度を計算する方法を使用することもできる。具体的な計算原理について、全体的特徴の類似度を計算する過程を参照できるので、ここで説明は、省略する。
【００５８】
全体的特徴の類似度が第一の閾値より大きく、かつ局所的特徴の類似度が第二の閾値より大きい場合、予め全体的特徴の類似度および局所的特徴の類似度のために設定された重み値に基づいて、全体的特徴の類似度および局所的特徴の類似度に対して加重計算を行い、加重計算結果を取得し、加重計算結果が第三の閾値より大きい場合、２枚のピクチャを類似ピクチャとする。その中、第一の閾値は、６０％、７０％などであってよく、第二の閾値は、５０％、６５％などであってよく、第三の閾値は、４０％、６３％などであってよく、本実施例において第一の閾値、第二の閾値、第三の閾値に対して具体的に限定しない。
【００５９】
前記第一の閾値、第二の閾値、第三の閾値の値について、例だけであり、限定するものではない。
【００６０】
(３)、端末は、ピクチャ群における同じピクチャと互いに類似ピクチャになるすべてのピクチャを類似ピクチャ群に構成する。
【００６１】
ピクチャ群におけるすべてのピクチャを前記方式で比較した後、各ピクチャ群におけるいずれか２枚のピクチャの間の関係は、基本的に確定され、この場合、端末は、ピクチャ群における同じピクチャと互いに類似ピクチャになるべてのピクチャを類似ピクチャ群に構成できる。例えば、ピクチャ群に５枚のピクチャがあり、それぞれピクチャＡ、ピクチャＢ、ピクチャＣ、ピクチャＤおよびピクチャＥであり、ピクチャＡとピクチャＢが類似ピクチャであり、ピクチャＢとピクチャＣが類似ピクチャであり、ピクチャＡとピクチャＣが類似ピクチャではなく、ピクチャＡとピクチャＤが類似ピクチャではなく、ピクチャＢとピクチャＤが類似ピクチャではなく、ピクチャＤとピクチャＥが類似ピクチャである場合、ピクチャＡ、ピクチャＢとピクチャＣを一つの類似ピクチャ群に構成し、ピクチャＤとピクチャＥを一つの類似ピクチャ群に構成する。
【００６２】
ステップ２０５において、端末は、撮影時間の順序に従って類似ピクチャ群を単位として各類似ピクチャ群におけるピクチャを表示する。
【００６３】
ユーザーが類似ピクチャ群におけるピクチャを処理することに便利を与えるために、ピクチャディレクトリにおけるピクチャを異なる類似ピクチャ群に区分した後、端末は、撮影時間に従って類似ピクチャ群を単位として各類似ピクチャ群におけるピクチャを表示する。表示過程において、端末は、撮影時間の正順序に従って表示してよく、撮影時間の逆順序に従って表示してもよい。例えば、図４は、撮影時間の正順序に従って従って表示された類似ピクチャ群におけるピクチャである。
【００６４】
ステップ２０６において、端末は、検出された操作に応じて各類似ピクチャ群におけるピクチャを処理する。
【００６５】
各ピクチャを処理することに便利を与えるために、端末は、各類似ピクチャ群における各ピクチャに保存オプションと削除オプションを表示し、当該保存オプションまたは削除オプションがメニュー形態であってよく、ボタン形態であってもよく、本実施例において保存オプションと削除オプションの形態に対して具体的に限定しない。すべてのピクチャを時間順序に従いかつ類似に従って集中するように表示する場合、ユーザーは、これらのピクチャを速く見ることができ、端末は、ユーザーの操作を検出することにより、各類似ピクチャ群におけるピクチャを処理できる。端末は、いずれかのピクチャの削除オプションが選択されたことを検出した場合、当該ピクチャを削除し、ピクチャの保存オプションが選択されたことを検出した場合、当該ピクチャを保存する。
【００６６】
一般的に、端末に記憶されたピクチャが失われることを避けるために、ユーザーは、端末におけるピクチャをサーバーのクラウドメモリにバックアップする。したがって、端末は、いずれかのピクチャを削除した後、自身の記憶空間をクリーンアップした後、クラウド記憶空間にピクチャを削除するようにサーバーに指示することに用いられることができる削除指令をサーバーへ送信し、それによってサーバーのクラウド記憶空間に対するクリーンアップを実現する。
【００６７】
前記方法により類似ピクチャ群におけるピクチャを処理した場合、ユーザーが類似ピクチャ群における１枚だけのピクチャを保存すると、次の類似ピクチャ群を表示する時に、当該ピクチャが表示されない。端末にいくつかの類似ピクチャが追加された場合、次回に類似ピクチャ群におけるピクチャをクリーンアップする時に、当該ピクチャが元の類似ピクチャ群におけるピクチャとともに表示される。図５（Ａ）に示すように、端末が撮影時間の正順序に従って類似ピクチャ群におけるピクチャを表示する場合、当該追加された類似ピクチャ群は、ユーザーによって保存された類似ピクチャ群の後に表示され、図５（Ｂ）に示すように、端末が撮影時間の逆順序に従って類似ピクチャ群におけるピクチャを表示する場合、当該追加された類似ピクチャ群は、ユーザーによって保存された類似ピクチャ群の前に表示される。
【００６８】
本開示の実施例による方法について、ピクチャの撮影時間などの属性情報およびピクチャ特徴に基づいて、ピクチャを一つの類似ピクチャ群に区分し、さらに撮影時間に従って類似ピクチャ群を単位として類似ピクチャ群におけるピクチャを表示し、ユーザーが類似ピクチャ群におけるピクチャを処理することに便利を与え、これにより、処理過程がより便利になり、より短い時間がかかる。
【００６９】
図６は一つの例示的な実施例によるピクチャ処理装置を示す図である。図６を参照して、当該装置は、スキャンモジュール６０１、類似ピクチャ群生成モジュール６０２、第一の表示モジュール６０３および処理モジュール６０４を含む。
【００７０】
当該スキャンモジュール６０１は、記憶空間をクリーンアップする過程に、ピクチャディレクトリにおけるすべてのピクチャをスキャンするように構成される。
【００７１】
当該類似ピクチャ群生成モジュール６０２は、各ピクチャの少なくとも撮影時間を含む属性情報および予め抽出されたピクチャ特徴に基づいて、少なくとも一つの類似ピクチャ群を生成するように構成される。
【００７２】
当該第一の表示モジュール６０３は、撮影時間の順序に従って類似ピクチャ群を単位として各類似ピクチャ群におけるピクチャを表示するように構成される。
【００７３】
当該処理モジュール６０４は、検出された操作に応じて各類似ピクチャ群におけるピクチャを処理するように構成される。
【００７４】
本開示の別の実施例において、ピクチャ特徴は、全体的特徴と局所的特徴を含み、
当該類似ピクチャ群生成モジュール６０２は、ピクチャディレクトリにおけるピクチャを少なくとも２枚のピクチャが含まれる異なるピクチャ群に区分し、いずれかのピクチャ群に対して、いずれか２枚のピクチャの全体的特徴の類似度と局所的特徴の類似度を計算し、全体的特徴の類似度が第一の閾値より大きくかつ局所的特徴の類似度が第二の閾値より大きい場合、全体的特徴の類似度と局所的特徴の類似度に対して加重計算を行い、加重計算結果を取得し、加重計算結果が第三の閾値より大きい場合、２枚のピクチャを類似ピクチャとし、ピクチャ群における同じピクチャと互いに類似ピクチャとなるすべてのピクチャを類似ピクチャ群に構成するるように構成される。
【００７５】
本開示の別の実施例において、当該処理モジュール６０４は、各類似ピクチャ群における各ピクチャに保存オプションと削除オプションを表示し、いずれかのピクチャの削除オプションが選択されたことを検出した場合、ピクチャを削除し、ピクチャの保存オプションが選択されたことを検出した場合、ピクチャを保存するように構成される。
【００７６】
本開示の別の実施例において、当該装置は、送信モジュールをさらに含む。
【００７７】
当該送信モジュールは、クラウド記憶空間にピクチャを削除するようにサーバーに指示するための削除指令をサーバーへ送信するように構成される。
【００７８】
本開示の別の実施例において、当該装置は、第二の表示モジュールをさらに含む。
【００７９】
当該第二の表示モジュールは、記憶空間クリーンアップページにピクチャクリーンアップオプションを表示するように構成される。
【００８０】
当該スキャンモジュール６０１は、ピクチャクリーンアップオプションが選択されたことを検出した場合、ピクチャディレクトリにおけるすべてのピクチャに対するスキャンを実行するように構成される。
【００８１】
本開示の実施例による装置について、ピクチャの撮影時間などの属性情報およびピクチャ特徴に基づいて、ピクチャを一つの類似ピクチャ群に区分し、さらに撮影時間に従って類似ピクチャ群を単位として類似ピクチャ群におけるピクチャを表示し、ユーザーが類似ピクチャ群におけるピクチャを処理することに便利を与え、これにより、処理過程がより便利になり、より短い時間がかかる。
【００８２】
前記実施例における装置について、各モジュールが操作を実行する具体的な方式は、すでに当該方法の実施例に詳しく説明されたので、ここで詳しく説明しない。
【００８３】
図７は一つの例示的な実施例によるピクチャ処理のための装置７００のブロック図である。例えば、装置７００は、携帯電話、コンピューター、ディジタルブロードキャスト端末、メッセージ送受信装置、ゲームコンソール、タブレット装置、医療機器、フィットネス機器、パーソナルディジタルアシスタント（ＰＤＡ：Ｐｅｒｓｏｎａｌ  Ｄｉｇｉｔａｌ  Ａｓｓｉｓｔａｎｔ）などであってよい。
【００８４】
図7を参照し、装置７００は、処理コンポーネント７０２、メモリ７０４、電源コンポーネント７０６、マルチメディアコンポーネント７０８、オーディオコンポーネント７１０、入力／出力（Ｉ／Ｏ）インタフェース７１２、センサーコンポーネント７１４および通信コンポーネント７１６の１つ以上のコンポーネントを含むことができる。
【００８５】
処理コンポーネント７０２は、一般的に、制御装置７００の操作全体、例えば表示、電話コール、データ通信、カメラ操作および記録操作に関する操作を制御する。処理コンポーネント７０２は、前記方法のすべてまたは一部のステップを完了するように、１つ以上のプロセッサ７２０を含んで指令を実行することができる。また、処理コンポーネント７０２は、他のコンポーネントとのインタラクションを容易にするように、１つ以上のモジュールを含むことができる。例えば、処理コンポーネント７０２は、マルチメディア７０８とのインタラクションを容易にするように、マルチメディアモジュールを含むことができる。
【００８６】
メモリ７０４は、装置７００の操作をサポートするように、様々なタイプのデータを記憶するように構成される。これらのデータの例は、装置７００で操作されるいかなるプログラムまたは方法のためのコマンド、連絡先データ、電話帳データ、メッセージ、ピクチャ、ビデオなどを含む。メモリ７０４は、いかなるタイプの揮発性または不揮発性記憶装置またはそれらの組み合わせ、例えばスタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されることができる。
【００８７】
電源コンポーネント７０６は、装置７００の各コンポーネントに電力を提供する。電源コンポーネント７０６は、電源管理システム、１つ以上の電源および装置７００のために電力を生成、管理および割り当てることに関する他のコンポーネントを含むことができる。
【００８８】
マルチメディアコンポーネント７０８は、前記装置７００とユーザーの間の一つの出力インタフェースを提供するスクリーンを含む。いくつかの実施例において、スクリーンは、液晶ディスプレー（ＬＣＤ）とタッチパネル（ＴＰ）を含むことができる。スクリーンは、タッチパネルを含む場合、ユーザーからの入力信号を受信するように、タッチスクリーンとして実現されることができる。タッチパネルは、タッチ、スライドおよびタッチパネルー上のジェスチャーをセンシングするように、１つ以上のタッチセンサーを含むことができる。前記タッチセンサーは、タッチまたはスライド動作の限界をセンシングすることができるだけでなく、前記タッチまたはスライド操作に関する持続時間および圧力を検出することができる。いくつかの実施例において、マルチメディアコンポーネント７０８は、一つのフロントカメラおよび／またはリアカメラを含む。装置７００が操作モード、例えば撮影モードまたはビデオモードにある場合、フロントカメラおよび／またはリアカメラは、外部からのマルチメディアデータを受信できる。各ロントカメラおよびリアカメラは、固定された光学レンズシステムであってよく、または焦点距離と光学ズーム機能を備える。
【００８９】
オーディオコンポーネント７１０は、オーディオ信号を出力および／または入力するように構成される。例えば、オーディオコンポーネント７１０は、一つのマイク（ＭＩＣ）を含み、装置７００が呼び出しモード、記録モードおよび音声識別モードのような操作モードにある場合、マイクが外部のオーディオ信号を受信するように構成される。受信されたオーディオ信号は、さらにメモリ７０４に記憶され、または、通信コンポーネント７１６を介して送信されることができる。いくつかの実施例において、オーディオコンポーネント７１０は、さらに、オーディオ信号を出力するためのスピーカーをさらに含む。
【００９０】
Ｉ／Ｏインタフェース７１２は、処理コンポーネント７０２と周辺インタフェースモジュールの間にインタフェースを提供する。前記周辺インタフェースモジュールは、キーボード、クリックホイール、ボタンなどであってよい。これらのボタンは、ホームページボタン、音量ボタン、スタートボタンとロックボタンを含むがこれらに限定されない。
【００９１】
センサーコンポーネント７１４は、装置７００に各方面の状態評価を提供するための１つ以上のセンサーを含む。例えば、センサーコンポーネント７１４は、装置７００のオン／オフ状態、コンポーネントの相対的な位置決め、例えば前記コンポーネントが装置７００のディスプレイとキーパッドであることを検出することができ、また、センサーコンポーネント７１４は、装置７００または装置７００の一つのコンポーネントの位置変化、ユーザーと装置７００の接触の有無、装置７００の方位または加速／減速と装置７００の温度変化を検出することができる。センサーコンポーネント７１４は、いかなる物理的な接触がない場合に付近物体の存在を検出するように構成される近接センサーを含むことができる。センサーコンポーネント７１４は、さらにイメージングアプリケーションに使用されるためのＣＭＯＳまたはＣＣＤ画像センサーのような光センサーを含むことができる。いくつかの実施例において、当該センサーコンポーネント７１４は、さらに、加速度センサー、ジャイロセンサー、磁気センサー、圧力センサーまたは温度センサーを含むことができる。
【００９２】
通信コンポーネント７１６は、装置７００と他の設備との有線または無線通信を容易にするように構成される。装置７００は、ＷｉＦｉ、２Ｇまたは３Ｇ、またはそれらの組み合わせのような通信基準に基づく無線ネットワークにアクセスすることができる。一つの例示的な実施例において、通信コンポーネント７１６は、ブロードキャストチャネルを介して外部ブロードキャスト管理システムからのブロードキャスト信号またはブロードキャストに関する情報を受信する。一つの例示的な実施例において、前記通信コンポーネント７１６は、近距離通信を促進するように、近距離通信（ＮＦＣ）モジュールをさらに含む。例えば、ＮＦＣモジュールは、無線周波数識別システム（ＲＦＩＤ）技術、赤外線データ協会（ＩｒＤＡ）技術、ウルトラワイドバンド（ＵＷＢ）技術、ブルートゥース（ＢＴ）技術と他の技術に基づいて実現されることができる。
【００９３】
一つの例示的な実施例において、装置７００は、１つ以上の特定用途向け集積回路（ＡＳＩＣ）、ディジタル信号処理機（ＤＳＰ）、ディジタル信号処理設備（ＤＳＰＤ）、プログラマブルロジックデバイス（ＰＬＤ）、フィールドプログラマブル ゲートアレイ（ＦＰＧＡ）、コントローラ、マイクロコントローラ、マイクロプロセッサまたは他の電子部品によって実現されることができ、前記方法を実行することに用いられる。
【００９４】
例示的な実施例において、さらに、例えばコマンドを含む非一時的なコンピュータ可読記憶媒体、例えばコマンドを含むメモリ７０４が提供される。前記コマンドは、前記方法を実行して完了するように、装置７００のプロセッサ７２０によって実行されることができる。例えば、前記非一時的なコンピュータ可読記憶媒体は、ＲＯＭ、ランダムアクセスメモリ（ＲＡＭ）、ＣＤ−ＲＯＭ、磁気テープ、フロッピーディスクと光データ記憶設備などであってよい。
【００９５】
非一時的なコンピューター記憶媒体であって、前記記憶媒体における指令が移動端末のプロセッサによって実行される場合、移動端末は、ピクチャ処理方法を実行することができ、前記方法は、
記憶空間をクリーンアップする過程に、ピクチャディレクトリにおけるすべてのピクチャをスキャンすることと、
各ピクチャの少なくとも撮影時間を含む属性情報および予め抽出されたピクチャ特徴に基づいて、少なくとも一つの類似ピクチャ群を生成することと、
撮影時間の順序に従って、類似ピクチャ群を単位として、各類似ピクチャ群におけるピクチャを表示することと、
検出された操作に応じて各類似ピクチャ群におけるピクチャを処理することとを含む。
【００９６】
本開示の別の実施例において、ピクチャ特徴は、全体的特徴と局所的特徴を含み、
前記の各ピクチャの属性情報および予め抽出されたピクチャ特徴に基づいて、少なくとも一つの類似ピクチャ群を生成することは、
ピクチャディレクトリにおけるピクチャを少なくとも２枚のピクチャが含まれる異なるピクチャ群に区分することと、
いずれかのピクチャ群に対して、いずれか２枚のピクチャの全体的特徴の類似度および局所的特徴の類似度を計算することと、
全体的特徴の類似度が第一の閾値より大きく、かつ局所的特徴の類似度が第二の閾値より大きい場合、全体的特徴の類似度と局所的特徴の類似度に対して加重計算を行い、加重計算結果を取得することと、
加重計算結果が第三の閾値より大きい場合、２枚のピクチャを類似ピクチャとすることと、
ピクチャ群における同じピクチャと互いに類似ピクチャとなるすべてのピクチャを類似ピクチャ群に構成することとを含む。
【００９７】
本開示の別の実施例において、検出された操作に応じて各類似ピクチャ群におけるピクチャを処理することは、
各類似ピクチャ群における各ピクチャに保存オプションと削除オプションを表示することと、
いずれかのピクチャの削除オプションが選択されたことを検出した場合、ピクチャを削除することと、
ピクチャの保存オプションが選択されたことを検出した場合、ピクチャを保存することとを含む。
【００９８】
本開示の別の実施例において、ピクチャを削除する後、当該方法は、
クラウド記憶空間にピクチャを削除するようにサーバーに指示するための削除指令をサーバーへ送信することをさらに含む。
【００９９】
本開示の別の実施例において、当該方法は、
記憶空間クリーンアップページにピクチャクリーンアップオプションを表示することと、
ピクチャクリーンアップオプションが選択されたことを検出した場合、ピクチャディレクトリにおけるすべてのピクチャに対するスキャンを実行することをさらに含む。
【０１００】
本開示の実施例による非一時的なコンピューター記憶媒体について、ピクチャの撮影時間などの属性情報およびピクチャ特徴に基づいて、ピクチャを一つの類似ピクチャ群に区分し、さらに撮影時間に従って類似ピクチャ群を単位として類似ピクチャ群におけるピクチャを表示し、ユーザーが類似ピクチャ群におけるピクチャを処理することに便利を与え、これにより、処理過程がより便利になり、より短い時間がかかる。
【０１０１】
当業者は、明細書を考えてここで開示された実施例を実施した後、本開示のほかの実施形態を容易に想到する。本出願は、本公開のいかなる変形、用途または適応的変化をカバーすることを意図し、これらの変形、用途または適応的変化が本開示の一般的な原理に従いかつ本開示に開示されない本技術分野の周知の常識または慣用技術手段を含む。明細書と実施例は、例示的なものと見なされるだけであり、本開示の本当の範囲と精神は、以下の特許請求の範囲によって示される。
【０１０２】
本開示は、以上に説明され且つ図面に示される精確な構造に限定されなく、かつその範囲から逸脱することなく様々な修正および変更を行うことができると理解すべきである。本公開の範囲は、添付の特許請求の範囲のみによって限定される。
【産業上の利用可能性】
【０１０３】
ピクチャの撮影時間などの属性情報およびピクチャ特徴に基づいて、ピクチャを一つの類似ピクチャ群に区分し、さらに撮影時間に従って類似ピクチャ群を単位として類似ピクチャ群におけるピクチャを表示し、ユーザーが類似ピクチャ群におけるピクチャを処理することに便利を与え、これにより、処理過程がより便利になり、より短い時間がかかる。
【図１】
2017531330.tif 000003
【図２】
2017531330.tif 000004
【図３】
2017531330.tif 000005
【図４】
2017531330.tif 000006
【図５Ａ】
2017531330.tif 000007
【図５Ｂ】
2017531330.tif 000008
【図６】
2017531330.tif 000009
【図７】
2017531330.tif 000010
【国際調査報告】
2017531330.tif 000011
2017531330.tif 000012
2017531330.tif 000013
2017531330.tif 000014